(57)【要約】【課題】着信転送サービスにおいてＶｏＬＴＥなどの所定の通信方式による通信を端末間において可能にする。【解決手段】Ｓ−ＣＳＣＦ１００は、ＡＳ２００からの返信されたＩＮＶＩＴＥ信号が、その所定宛先に対して転送設定なされており、さらに予め定められたＩＰ−ＰＯＩ経由で受信したことを示す新規パラメータが付与されているか否かを判断する。Ｓ−ＣＳＣＦ１００は、新規パラメータが付与されていると判断すると、ＩＮＶＩＴＥ信号を、ＶｏＬＴＥなどのＳＩＰ通信を可能にするＩＰ−ＰＯＩから転送する転送する。【選択図】図１
2018201114.tif 000002
【特許請求の範囲】
【請求項１】
所定宛先に対する着信要求を受信する受信手段と、
前記所定宛先に対して転送設定がなされている場合には、前記着信要求が所定の通信方式を示す情報が付与されているか否かを判断する判断手段と、
前記所定の通信方式を示す情報が付与されていると判断されると、前記着信要求を、前記所定の通信方式による通信を可能にするインタフェースから転送するための制御を行う転送制御手段と、
を備える呼処理装置。
【請求項２】
前記判断手段は、
前記転送設定された宛先が、前記所定の通信方式を提供する他事業者の宛先であるか否かをさらに判断し、
前記転送制御手段は、
前記所定の通信方式を提供する他事業者の宛先である判断される場合に、前記着信要求を、前記所定の通信方式による通信を可能にするインタフェースから転送するための制御を行う、請求項１に記載の呼処理装置。
【請求項３】
請求項１または２に記載の呼処理装置と、前記呼処理装置により呼制御された通信の制御を行う通信制御装置とを含んだ通信システムにおいて、
前記通信制御装置は、
前記着信要求に付与されている発網識別子に基づいて所定の通信方式による通信を可能にするインタフェースからの信号であると判断する場合には、前記所定の通信方式を示す情報を、前記着信要求に付与する付与手段を備える、
通信システム。
【発明の詳細な説明】
【技術分野】
【０００１】
本発明は、着信転送処理を行なう呼処理装置および通信システムに関する。
【背景技術】
【０００２】
下記特許文献１には、ＳＩＰ（Session Initiation Protocol）を用いた相互接続点であるＩＰ−ＰＯＩ（IP Point OfInterconnection）と、既存のＩＳＵＰ（ＩＳＤＮ User Part）を用いた相互接続点であるＳＴＭ−ＰＯＩ（ＳＴＭ（Synchronous TransferMode）−ＰＯＩ）と、をつかってネットワークを接続することが記載されている。そして、ＩＰ−ＰＯＩおよびＳＴＭ−ＰＯＩのいずれかのＰＯＩを選択して、通信接続することが記載されている。
【先行技術文献】
【特許文献】
【０００３】
【特許文献１】特開２０１２−２５３５７５号公報
【発明の概要】
【発明が解決しようとする課題】
【０００４】
ところで、着信転送サービスを行う通信事業者のネットワークが、ＶｏＬＴＥ通信を可能にする他事業者の通信端末からの着信要求を受信し、これをさらに別の他事業者に着信転送を行うことが考えられる。一般的に、その着信転送先となる通信端末が、ＶｏＬＴＥ通信を可能にする通信端末であった場合であっても、ＳＴＭ−ＰＯＩ経由で転送処理を行うように、着信転送サービスのネットワークは構築されている。これは、ＶｏＬＴＥ通信に対応していない通信端末または固定電話機からの着信要求に対する転送をＩＰ−ＰＯＩ経由での通信を許容しないために、一律にＳＴＭ−ＰＯＩ経由で転送処理を行うための構成がなされている。
【０００５】
したがって、このような構成では、着信転送サービスにおいては、ＶｏＬＴＥ通信によるサービスを提供できないという問題がある。
【０００６】
そこで、本発明は、着信転送サービスにおいて、所定の通信方式による通信を可能にした着信転送を行う呼処理装置および通信システムを提供することを目的とする。
【課題を解決するための手段】
【０００７】
上述の課題を解決するために、所定宛先に対する着信要求を受信する受信手段と、前記所定宛先に対して転送設定なされている場合には、前記着信要求が所定の通信方式を示す情報が付与されているか否かを判断する判断手段と、前記所定の通信方式を示す情報が付与されていると判断されると、前記着信要求を、前記所定の通信方式による通信を可能にするインタフェースから転送するための制御を行う転送制御手段と、を備える。
【０００８】
この発明によれば、所定の通信方式による通信を可能にするインタフェース経由で受信した着信要求を、着信転送する際に、所定の通信方式による通信を可能にするインタフェース経由で転送することができる。その結果、発信側と着信側（転送先）との間で所定の通信方式による通信を可能にするインタフェース経由で通信接続することができ、所定の通信方式による通話を実現することができる。
【発明の効果】
【０００９】
本発明によれば、着信転送した際に、発信側端末と着信側端末（転送先端末）との間で所定の通信方式による通話を実現することができる。
【図面の簡単な説明】
【００１０】
【図１】本実施形態の呼処理装置であるＳ−ＣＳＣＦ１００を含んだ通信システム１０のシステム構成を示す図である。
【図２】Ｓ−ＣＳＣＦ１００およびＡＳ２００の機能構成を示す図である。
【図３】通信システム１０〜通信システム３０における処理を示すシーケンス図である。
【図４】ＡＳ２００の処理を示すフローチャートである。
【図５】Ｓ−ＣＳＣＦ１００の処理を示すフローチャートである。
【図６】Ｓ−ＣＳＣＦ１００およびＡＳ２００のハードウェア構成図である。
【発明を実施するための形態】
【００１１】
添付図面を参照しながら本発明の実施形態を説明する。可能な場合には、同一の部分には同一の符号を付して、重複する説明を省略する。
【００１２】
図１は、本実施形態の呼処理装置であるＳ−ＣＳＣＦ１００を含んだ通信システム１０のシステム構成を示す図である。図１に示されるとおり、通信システム１０は、通信ネットワークを構成するシステムであり、この通信ネットワークは、通信システム１０、通信システム２０および通信システム３０を含んでいる。本実施形態においては、通信システム２０が、発信端末である通信端末２０ａを含んだシステムである。通信システム１０は、着信転送処理を行うシステムである。通信システム３０は、着信転送された着信側端末である通信端末３０ａを含んだシステムである。
【００１３】
通信システム１０は、通信端末１０ａ、ＩＢＣＦ（Interconnection Border Control Function）１０ｂ、ＭＧＷ（Media Gateway）１０ｃ、Ｐ−ＣＳＣＦ（Proxy-Call Session ControlFunction）１０ｄ、Ｓ−ＣＳＣＦ（Serving-Call SessionControl Function）１００，およびＡＳ（Application server）２００，ＨＬＲ／ＨＳＳ（Home LocationRegister／Home Subscriber Server）３００を含んで構成されている。
【００１４】
通信システム２０は、通信端末２０ａ、ＩＢＣＦ２０ｂ、ＭＧＷ２０ｃを含んで構成されている。通信システム３０は、通信端末３０ａ、ＩＢＣＦ３０ｂ、ＭＧＷ３０ｃを含んで構成されている。
【００１５】
ＶｏＬＴＥなどのＳＩＰ通信を行う通信端末２０ａからの発信処理通信処理を行う際には、通信システム２０は、ＩＢＣＦ２０ｂおよびＩＰ−ＰＯＩを用いて通信システム１０に、ＩＮＶＩＴＥ信号を送信する。
【００１６】
通信システム１０において、ＩＢＣＦ１０ｂは、ＩＮＶＩＴＥ信号を受信し、Ｓ−ＣＳＣＦ１００に送信する。Ｓ−ＣＳＣＦ１００は、ＡＳ２００およびＨＬＲ／ＨＳＳ３００に対して問合せ処理を行い、転送処理の要否およびその宛先を取得する。その際、ＡＳ２００は、ＩＰ−ＰＯＩ経由でＩＮＶＩＴＥ信号を受信したことを、ＩＮＶＩＴＥ信号の発網識別子に基づいて判断することができる。この発網識別子にＩＰ−ＰＯＩ経由で受信したことを示す情報が含まれているが、転送処理を行う際において、通信システム１０を示す情報に書き換えられるため、ＩＮＶＩＴＥ信号には、ＩＰ−ＰＯＩ経由で受信したことを示す新規パラメータを別途付与する。そして、ＡＳ２００は、新規パラメータが付与されたＩＮＶＩＴＥ信号に、着信転送宛先を含めて、Ｓ−ＣＳＣＦ１００に送信する。
【００１７】
そして、Ｓ−ＣＳＣＦ１００は、着信転送が必要であり、通信システム２０からのＩＮＶＩＴＥ信号が新規パラメータに基づいてＩ−ＰＯＩ経由であると判断すると、ＩＢＣＦ１０ｂ（ＩＰ−ＰＯＩ）を介して、通信システム３０に、ＩＮＶＩＴＥ信号を送信する。
【００１８】
これにより、通信システム１０〜通信システム３０は、ＩＰ−ＰＯＩ経由で通信接続することができる。したがって、発信側端末と着信側端末（転送先端末）とは、ＩＰ−ＰＯＩ経由で通信接続することになり、ＶｏＬＴＥなどのＳＩＰ通信による通話を可能にすることができる。
【００１９】
図２は、Ｓ−ＣＳＣＦ１００およびＡＳ２００の機能構成を示す図である。図２に示されるとおり、Ｓ−ＣＳＣＦ１００は、通信部１０１（受信手段）、ＰＯＩ判定部１０２（判断手段）、および信号判定・処理部１０３（転送制御手段）を含んで構成されている。ＡＳ２００は、通信制御装置であって、通信部２０１、信号判定・処理部２０２（付与手段）およびパラメータ情報保持部２０３を含んで構成されている。以下、各構成要件について説明する。
【００２０】
通信部１０１は、ＩＢＣＦ１０ｂ、ＭＧＷ１０ｃ、Ｐ−ＣＳＣＦ１０ｄ、およびＡＳ２００と通信接続する部分である。通信部１０１は、ＩＢＣＦ１０ｂからＩＮＶＩＴＥ信号を受信し、そのＩＮＶＩＴＥ信号をＡＳ２００に送信する。また、通信部１０１は、ＡＳ２００から新規パラメータが付与されたＩＮＶＩＴＥ信号を受信し、その後、ＩＢＣＦ１０ｂ、またはＭＧＷ１０ｃにＩＮＶＩＴＥ信号を送信する。
【００２１】
ＰＯＩ判定部１０２は、通信部１０１を介して、ＡＳ２００に対して問合せ処理を行い、当該ＡＳ２００において、ＩＮＶＩＴＥ信号に付与された新規パラメータを確認する部分である。
【００２２】
信号判定・処理部１０３は、ＡＳ２００に問い合わせた結果、その転送先番号（電話番号）に基づいて、転送先事業者を判定する部分である。なお、信号判定・処理部１０３は、その転送先番号の体系や、管理テーブルをつかって転送先事業者を判定することができる。
【００２３】
このように判定された結果、通信部１０１は、ＩＮＶＩＴＥ信号をＩＢＣＦ１０ｂに向けて送信し、ＩＢＣＦ１０ｂは、ＩＰ−ＰＯＩを介して通信システム３０にＩＮＶＩＴＥ信号を送信する。
【００２４】
つぎに、ＡＳ２００について説明する。通信部２０１は、Ｓ−ＣＳＣＦ１００からＩＮＶＩＴＥ信号に対する問合せを受け付け、またその問合せに対して返信する部分である。
【００２５】
信号判定・処理部２０２は、通信部２０１からＩＮＶＩＴＥ信号を受信すると、ＩＮＶＩＴＥ信号に設定されている発網識別子に基づいて、ＩＰ−ＰＯＩ経由であるか否かを判定する部分である。そして、信号判定・処理部２０２は、発網識別子に基づいて、そのＩＮＶＩＴＥ信号がＩＰ−ＰＯＩ経由であると判断すると、ＩＰ−ＰＯＩ経由で受信したＩＮＶＩＴＥ信号であることを示す新規パラメータをそのＩＮＶＩＴＥ信号に付与する。通信部２０１は、その新規パラメータが付与されたＩＮＶＩＴＥ信号をＳ−ＣＳＣＦ１００に送信する。
【００２６】
パラメータ情報保持部２０３は、新規パラメータおよび通常パラメータを保持する部分である。新規パラメータは、上述の通り、ＩＮＶＩＴＥ信号がＩＰ−ＰＯＩ経由で受信したことを示すパラメータであり、通常パラメータは、各種付加サービスを提供するためのパラメータである。
【００２７】
つぎに、通信システム１０〜通信システム３０を含んだネットワークにおける各システムの処理について説明する。図３は、通信システム１０〜通信システム３０における処理を示すシーケンス図である。
【００２８】
まず、発信側ＮＷであるＩＢＣＦ２０ｂは、ＩＮＶＩＴＥ信号を通信システム１０に送信する（Ｓ１０１）。
【００２９】
転送元であるＩＢＣＦ１０ｂは、受信したＩＮＶＩＴＥ信号の発網識別子に、ＩＰ−ＰＯＩ経由であることの情報を設定する（Ｓ１０２）。そして、ＩＢＣＦ１０ｂは、その情報が設定されたＩＮＶＩＴＥ信号をＳ−ＣＳＣＦ１００に送信する。Ｓ−ＣＳＣＦ１００において、通信部１０１は、ＡＳ２００に対して問合せ処理を行うために、ＩＮＶＩＴＥ信号を送信する（Ｓ１０３）。
【００３０】
ＡＳ２００において、通信部２０１は、ＩＮＶＩＴＥ信号を受信すると、ＨＬＲ／ＨＳＳ３００に対して、ＩＮＶＩＴＥ信号の宛先に基づいて、転送設定の有無および転送先番号の問合せを行う（Ｓ１０４）。そして、ＡＳ２００において、信号判定・処理部２０２は、ＩＮＶＩＴＥ信号に設定された発網識別子に基づいてＩＰ−ＰＯＩ経由であるか否かを判定し、その判定結果に応じた新規パラメータをＩＮＶＩＴＥ信号に付与する（Ｓ１０５）。通信部２０１は、新規パラメータおよび転送先番号を含んだＩＮＶＩＴＥ信号をＳ−ＣＳＣＦ１００に送信する（Ｓ１０６）。なお、ＡＳ２００は、新規パラメータを付与した後、発網識別子を転送元ＮＷを示す識別子に書き換える処理を行う。この処理は、転送処理を行う際において一般的に行われている処理である。
【００３１】
Ｓ−ＣＳＣＦ１００において、通信部１０１が、新規パラメータが付与されたＩＮＶＩＴＥ信号を受信すると、信号判定・処理部１０３は、ＩＮＶＩＴＥ信号の転送先番号に基づいて転送先事業者を判定する。さらに、信号判定・処理部１０３は、当該転送先事業者がＶｏＬＴＥなどのＳＩＰによる通話サービスを提供しているか否かを判定する（Ｓ１０７）。そして、ＰＯＩ判定部１０２は、ＩＮＶＩＴＥ信号が着信転送呼である場合には、そのＩＮＶＩＴＥ信号に新規パラメータが付与されているかを確認する（Ｓ１０８）。
【００３２】
通信部１０１は、ＩＮＶＩＴＥ信号が着信転送呼であり、新規パラメータが、ＩＰ−ＰＯＩ経由であることを示されている場合には、ＩＢＣＦ１０ｂにそのＩＮＶＩＴＥ信号を送信する（Ｓ１０９）。
【００３３】
ＩＢＣＦ１０ｂは、ＩＰ−ＰＯＩを経由してＩＮＶＩＴＥ信号を通信システム３０に送信する（Ｓ１１０）。
【００３４】
このようにして、通信システム１０と通信システム３０とは、ＩＰ−ＰＯＩ経由で通信経路が確立される。したがって、ＶｏＬＴＥなどのＳＩＰによる高品質通話を実現することができる。
【００３５】
なお、ステップＳ１０８において、ＰＯＩ判定部１０２が、ＡＳ２００から送信されたＩＮＶＩＴＥ信号に新規パラメータが付与されておらず、ＩＮＶＩＴＥ信号が着信転送呼である場合には、通信部１０１は、ＭＧＷ１０ｃにＩＮＶＩＴＥ信号を送信する。そして、ＭＧＷ１０ｃがＩＮＶＩＴＥ信号をＳＴＭ−ＰＯＩ経由で通信システム３０に送信する。
【００３６】
この処理に従うと、ＩＰ−ＰＯＩか、ＳＴＭ−ＰＯＩかいずれのＰＯＩからＩＮＶＩＴＥ信号を送信するか、切り換えることができ、適切な通信経路による通信路の確立を行うことができる。本実施形態においては、ＩＰ−ＰＯＩは、ＳＩＰ通信などパケット交換による通話処理のためのインタフェースであり、ＳＴＭ−ＰＯＩは、回線交換による通話処理のためのインタフェースである。
【００３７】
つぎに、本実施形態のＡＳ２００の処理について説明する。図４は、ＡＳ２００の処理を示すフローチャートであり、図３におけるＳ１０５の処理を詳細に示したものである。
【００３８】
ＡＳ２００において、通信部２０１は、ＩＮＶＩＴＥ信号をＳ−ＣＳＣＦ１００から受信すると（Ｓ２０１）、その発網識別子を参照して、ＩＰ−ＰＯＩ経由であるか否かを判定する（Ｓ２０２）。そして、信号判定・処理部２０２が、ＩＰ−ＰＯＩ経由であると判定すると、ＩＮＶＩＴＥ信号にＩＰ−ＰＯＩであることを示す新規パラメータを付与する（Ｓ２０３）。
【００３９】
また、信号判定・処理部２０２が、ＩＰ−ＰＯＩ経由ではないと判定すると、ＩＮＶＩＴＥ信号に通常パラメータを付与する（Ｓ２０）。この通常パラメータは、一般的な付加サービスを提供するために付与されるパラメータであり、必ずしも付加される必要のないパラメータである。
【００４０】
ＡＳ２００においては、各パラメータを付与した後、発網識別子を通信システム１０（自社網）を示す情報に書き換える処理を行う。
【００４１】
このようにして、ＡＳ２００は、ＩＰ−ＰＯＩ経由できたＩＮＶＩＴＥ信号に新規パラメータを付与することで、発網識別子が書き換えられたとしても、Ｓ−ＣＳＣＦ１００において、ＩＰ−ＰＯＩ経由のＩＮＶＩＴＥ信号であることを判定することができる。
【００４２】
つぎに、Ｓ−ＣＳＣＦ１００の処理について説明する。図５は、Ｓ−ＣＳＣＦ１００の処理を示すフローチャートであり、図３におけるＳ１０７−Ｓ１０８の詳細処理を示したものである。
【００４３】
Ｓ−ＣＳＣＦ１００において、通信部１０１は、ＩＢＣＦ１０ｂからＩＮＶＩＴＥ信号を受信すると（Ｓ３００）、信号判定・処理部１０３は、その転送先が他社網か、自社網か判定する（Ｓ３０１）。信号判定・処理部１０３は、転送先番号の体系または事前に記憶した他社網の電話番号リスト等にしたがってその転送先が自社網か、他社網かを判定することができる。ここで自社網であると判定すると、信号判定・処理部１０３は、通常動作として、自社網内での接続処理を行う（Ｓ３０３）。
【００４４】
そして、転送先が他社網であると判定すると、信号判定・処理部１０３は、その転送先はＶｏＬＴＥなどのＳＩＰによる通話サービスを提供する他社網であるか否かを判定する（Ｓ３０２）。信号判定・処理部１０３は、他社網がＶｏＬＴＥなどの通信サービスを提供しているかの管理テーブルを備えており、そのテーブルに基づいてその転送先がＶｏＬＴＥなどの通信サービスを提供しているかを判定することができる。ここで、ＶｏＬＴＥなどの通信サービスを提供する他社網ではないと判定すると、通常動作であるＳＴＭ−ＰＯＩ経由での通信接続処理を行う（Ｓ３０３）。
【００４５】
また、信号判定・処理部１０３は、ＶｏＬＴＥなどの通信サービスを提供する他社網ではあると判定すると、ＩＮＶＩＴＥ信号にＩＰ−ＰＯＩ経由であることを示す新規パラメータが付与されているか否かを判定する（Ｓ３０４）。
【００４６】
ここで、信号判定・処理部１０３は、ＩＮＶＩＴＥ信号に新規パラメータが付与されていないと判定すると、ＳＴＭ−ＰＯＩ経由でＩＮＶＩＴＥ信号を送信する（Ｓ３０５）。
【００４７】
信号判定・処理部１０３は、ＩＮＶＩＴＥ信号に新規パラメータが付与されていると判定すると、ＩＰ−ＰＯＩ経由でＩＮＶＩＴＥ信号を送信する（Ｓ３０６）。
【００４８】
以上の通り、Ｓ−ＣＳＣＦ１００は、ＩＮＶＩＴＥ信号に新規パラメータが付与されているか否かを判定することにより、ＩＰ−ＰＯＩ経由でのＩＮＶＩＴＥ信号を送信することができる。よってＩＰ−ＰＯＩ経由で通信接続を行うことができ、発信元と着信側とをＩＰ−ＰＯＩ経由で通信接続することが可能となる。よって、ＶｏＬＴＥなどＳＩＰによる高品質通話を可能にする。
【００４９】
つぎに、本実施形態のＳ−ＣＳＣＦ１００およびこれを含んだ通信システム１０の作用効果について説明する。
【００５０】
Ｓ−ＣＳＣＦ１００において、通信部１０１が所定宛先に対する着信要求を受信すると、ＡＳ２００にＩＮＶＩＴＥ信号を送信する。ＡＳ２００では、転送処理が必要であるか否かの問合せ処理を行う。その後、信号判定・処理部１０３は、ＡＳ２００からの返信されたＩＮＶＩＴＥ信号が、その所定宛先に対して転送設定なされており、さらに所定の通信方式（例えばＶｏＬＴＥなど）を示す情報である新規パラメータが付与されているか否かを判断する。
【００５１】
信号判定・処理部１０３は、新規パラメータが付与されていると判断すると、ＩＮＶＩＴＥ信号を、ＶｏＬＴＥなどのＳＩＰによる通信を可能にするＩＰ−ＰＯＩから転送する転送するよう通信部１０１を制御する。
【００５２】
この構成に従うと、Ｓ−ＣＳＣＦ１００は、ＩＰ−ＰＯＩ経由で受信したＩＮＶＩＴＥ信号を、ＩＰ−ＰＯＩ経由で転送することができる。その結果、発信側と着信側（転送先）との間でＩＰ−ＰＯＩ経由で通信接続することができ、ＶｏＬＴＥなどの所定の通信方式による高音質通話を実現することができる。
【００５３】
さらに、信号判定・処理部１０３は、転送設定された宛先が、ＶｏＬＴＥサービスを提供する他事業者の宛先であるか否かをさらに判断することで、通信部１０１は、そのＩＮＶＩＴＥ信号を、ＶｏＬＴＥサービスを可能にするＩＰ−ＰＯＩから転送することができる。
【００５４】
したがって、他事業者がＶｏＬＴＥサービスを提供している場合には、ＩＰ−ＰＯＩ経由で転送処理を行うことで、ＳＴＭ−ＰＯＩとの切換を適切に行うことができる。すなわち、ＶｏＬＴＥを提供していない事業者にＩＰ−ＰＯＩで転送しても、ＶｏＬＴＥサービスを提供することができないため、無駄に資源を利用することを防止することができる。
【００５５】
上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００５６】
例えば、本発明の一実施の形態におけるＳ−ＣＳＣＦ１００、ＡＳ２００などは、本実施形態の処理を行うコンピュータとして機能してもよい。図６は、本実施形態に係るＳ−ＣＳＣＦ１００、ＡＳ２００のハードウェア構成の一例を示す図である。上述のＳ−ＣＳＣＦ１００、ＡＳ２００は、物理的には、プロセッサ１００１、メモリ１００２、ストレージ１００３、通信装置１００４、入力装置１００５、出力装置１００６、バス１００７などを含むコンピュータ装置として構成されてもよい。
【００５７】
なお、以下の説明では、「装置」という文言は、回路、デバイス、ユニットなどに読み替えることができる。Ｓ−ＣＳＣＦ１００、ＡＳ２００のハードウェア構成は、図に示した各装置を１つ又は複数含むように構成されてもよいし、一部の装置を含まずに構成されてもよい。
【００５８】
Ｓ−ＣＳＣＦ１００、ＡＳ２００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００５９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、信号判定・処理部１０３，２０２などは、プロセッサ１００１で実現されてもよい。
【００６０】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、Ｓ−ＣＳＣＦ１００、ＡＳ２００の、信号判定・処理部１０３、２０２は、は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６１】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【００６２】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００６３】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の通信部１０１、通信部２０１などは、通信装置１００４で実現されてもよい。
【００６４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６５】
また、プロセッサ１００１やメモリ１００２などの各装置は、情報を通信するためのバス１００７で接続される。バス１００７は、単一のバスで構成されてもよいし、装置間で異なるバスで構成されてもよい。
【００６６】
また、Ｓ−ＣＳＣＦ１００、ＡＳ２００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６７】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００６８】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC ConnectionReconfiguration）メッセージなどであってもよい。
【００６９】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７０】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７１】
情報等は、上位レイヤ(または下位レイヤ)から下位レイヤ(または上位レイヤ)へ出力され得る。複数のネットワークノードを介して入出力されてもよい。
【００７２】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００７３】
判定は、１ビットで表される値（０か１か）によって行われてもよいし、真偽値（Boolean：trueまたはfalse）によって行われてもよいし、数値の比較（例えば、所定の値との比較）によって行われてもよい。
【００７４】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７６】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７７】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７８】
なお、本明細書で説明した用語及び／又は本明細書の理解に必要な用語については、同一の又は類似する意味を有する用語と置き換えてもよい。
【００７９】
本明細書で使用する「システム」および「ネットワーク」という用語は、互換的に使用される。
【００８０】
また、本明細書で説明した情報、パラメータなどは、絶対値で表されてもよいし、所定の値からの相対値で表されてもよいし、対応する別の情報で表されてもよい。
【００８１】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００８２】
本明細書で使用する「判定(determining)」、「決定(determining)」という用語は、多種多様な動作を包含する場合がある。「判定」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判定」「決定」したとみなす事などを含み得る。また、「判定」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判定」「決定」したとみなす事などを含み得る。また、「判定」、「決定」は、解決(resolving)、選択(selecting)、選定(choosing)、確立(establishing)、比較(comparing)などした事を「判定」「決定」したとみなす事を含み得る。つまり、「判定」「決定」は、何らかの動作を「判定」「決定」したとみなす事を含み得る。
【００８３】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００８４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８５】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００８６】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００８７】
本明細書において、文脈または技術的に明らかに1つのみしか存在しない装置である場合以外は、複数の装置をも含むものとする。
【００８８】
本開示の全体において、文脈から明らかに単数を示したものではなければ、複数のものを含むものとする。
【符号の説明】
【００８９】
１０１…通信部、１０２…ＰＯＩ判定部、１０３…信号判定・処理部、２０１…通信部、２０２…信号判定・処理部、２０３…パラメータ情報保持部。
【図１】
2018201114.tif 000003
【図２】
2018201114.tif 000004
【図３】
2018201114.tif 000005
【図４】
2018201114.tif 000006
【図５】
2018201114.tif 000007
【図６】
2018201114.tif 000008